(57)【要約】【課題】気流をスムーズにファンへ流出させる助けになり、出風口箇所の風圧がより増し、ファンの放熱效果を高める放熱器のファンを提供する。      【解決手段】放熱器のファンは、プロペラ１１及びファンフレーム１２を含み、ファンフレーム１２の側面中心箇所には前述のプロペラ１１を枢設するプロペラ台１２１を設置する。設置したプロペラ台１２１の一側面である出風口１２４は、発熱部品１３に面し、出風口１２４に相対する別側は、入風口１２３とする。上述のプロペラ２１は、プロペラハブ２１１を具え、そのプロペラハブ２１１の外周には径方向に複数の第一プロペラ羽根２１２及び複数個の凸部２１３が放射状に伸び、その凸部２１３は、二枚毎の第一プロペラ羽根２１２毎に間隔を開けて設置する。【選択図】図４
0003130620.tif 000002
【実用新案登録請求の範囲】
【請求項１】
プロペラとファンフレームから構成された放熱器のファンにおいて、
プロペラハブを具え、そのプロペラハブは最上面及びその最上面に垂直な環状部を具え、その環状部の外周は複数の第一プロペラ羽根及び複数の凸部が径方向の放射状に伸び、その凸部を二枚の第一プロペラ羽根の間毎に間隔を開けて設置するプロペラと、
その?側面中心箇所にプロペラ台を設置して前述のプロペラを枢設するファンフレームを含むことを特徴とする放熱器のファン。
【請求項２】
前記プロペラ台は、複数の凸条によってファンフレーム内壁に連接することを特徴とする請求項１記載の放熱器のファン。
【請求項３】
前記凸部は、その配列が第一プロペラ羽根と同じであることを特徴とする請求項１記載の放熱器のファン。
【請求項４】
前記凸部は、長さが第一プロペラ羽根より短いことを特徴とする請求項１記載の放熱器のファン。
【請求項５】
前記凸部は、その形状と第一プロペラ羽根が同じであることを特徴とする請求項１記載の放熱器のファン。
【考案の詳細な説明】
【技術分野】
【０００１】
本考案は、放熱器のファンに関するものである。
【背景技術】
【０００２】
第１、２図は、公知のファンで、プロペラ１１及びファンフレーム１２を含み、上述のプロペラ１１は、プロペラハブ１１１を具え、そのプロペラハブ１１１の外周径からは、複数枚のプロペラ羽根１１２が外向きに伸びる（第3図参照）。上述のファンフレーム１２は、封鎖式の壁で覆われ、そのファンフレーム１２の?側面には入風口１２３が成形されて気体が流入し、入風口１２３に相対する別?側面には出風口１２４が成形されて気体が流出する。出風口１２４の一側面中心箇所には、プロペラ台１２１を設置し、上述プロペラ１１を枢設し、このプロペラ台１２１は、複数の凸条１２２でファンフレーム１２と相互に接続する。前述のファンフレーム１２の出風口１２４は発熱部品１３と向き合い、少なくとも一つのネジ１２６をファンフレーム１２辺縁に設置した少なくとも一つの穿孔１２５に差し込み、プロペラ１１とファンフレーム１２を発熱部品１３上に設置する。
【特許文献１】登録実用新案第３０８７６５２号公報
【考案の開示】
【考案が解決しようとする課題】
【０００３】
解決しようとする問題点は、上述の技術では、プロペラハブ１１１がプロペラ羽根１１２以外に、流れを起こす設計ではないため、気流が入風口１２３からファンへ入った時、一部の気流が二枚のプロペラ羽根１１２の間から入り、プロペラハブ１１１表面四箇所に沿って流動するため、プロペラハブ１１１表面の流動抵抗力に影響を与え、気流が出風口１２４へ流れる風圧を下げ、且つプロペラハブ１１１下方の低圧箇所で流れが留まってしまい、ファンの放熱に影響を与える点である。
【課題を解決するための手段】
【０００４】
本考案は、プロペラ及びファンフレームを含み、ファンフレームの側面中心箇所には前述のプロペラを枢設するプロペラ台を設置する。設置したプロペラ台の一側面である出風口は、発熱部品に面し、出風口に相対する別側は、入風口とする。上述のプロペラは、プロペラハブを具え、そのプロペラハブの外周には径方向に複数の第一プロペラ羽根及び複数個の凸部が放射状に伸び、その凸部は、二枚毎の第一プロペラ羽根毎に間隔を開けて設置することを最も主要な特徴とする。
【考案の効果】
【０００５】
本考案の放熱器のファンは、気流をスムーズにファンへ流出させる助けになり、出風口箇所の風圧がより増し、ファンの放熱效果を高めるという利点がある。
【考案を実施するための最良の形態】
【０００６】
本考案の主な目的は、放熱器のファンを提供し、そのプロペラハブは、気流を引き寄せる機能を具える。
【０００７】
上述の目的のため、本考案は、プロペラ及びファンフレームを含み、ファンフレームの側面中心箇所には前述のプロペラを枢設するプロペラ台を設置する。設置したプロペラ台の一側面である出風口は、発熱部品に面し、出風口に相対する別側は、入風口とする。上述のプロペラは、プロペラハブを具え、そのプロペラハブの外周には径方向に複数の第一プロペラ羽根及び複数個の凸部が放射状に伸び、その凸部は、二枚毎の第一プロペラ羽根の間に間隔を開けて設置することにより、気流をスムーズにファンへ流出させる助けになり、出風口箇所の風圧をより高め、ファンの放熱效果を高める。
【実施例】
【０００８】
第４、５図は、為本考案の実施例で、プロペラ２１及びファンフレーム２２を含む。上述のファンフレーム２２は、囲み壁で、そのファンフレーム２２の側面中心箇所にプロペラ台２２１を設置し、そこには複数の凸条２２２をファンフレーム２２内壁まで連接し、且つファンフレーム２２内壁及びプロペラ台２２１外周に出風口２２４を形成し、そこから気体が流出し、出風口２２４に相対する別側面には入風口２２３が形成され、そこから気体が流入する。出風口２２４は発熱部品２３に向かい合い、少なくとも一個の固定元件２２６をファンフレーム２２辺縁に設置した少なくとも一個の穿孔２２５に差し込み、プロペラ２１とファンフレーム２２を発熱部品２３上に固定する。
【０００９】
上述のプロペラ２１はプロペラハブ２１１を具え、そのプロペラハブ２１１は、最上面２１１１及びその最上面２１１１に垂直な環状部２１１２を含む。最上面２１１１内側中心箇所には軸心（図未提示）を設置し、ファンフレーム２２のプロペラ台２２１内で回転枢設する。前述の環状部２１１２の外周からは、径方向へ複数個の第一プロペラ羽根２１２が放射状に伸び、更に長さが第一プロペラ羽根２１２より短い複数個の凸部２１３（第6図参照）が伸びる。この凸部２１３は、二枚の第一プロペラ羽根２１２毎に間隔を開けて設置し、更にその凸部２１３の配列は第一プロペラ羽根２１２と同じである。（第7図参照）。
【００１０】
上述の凸部２１３の形状は、第一プロペラ羽根２１２と同じでもよい(図未提示)。
気流が入風口２２３からファンへ流入した時、凸部２１３が一部を引き寄せるか、もしくはプロペラハブ２１１に沿って流れる気流を直接ファンへ流出させ、且つ風圧を下げずに、ファンの放熱效果を高める。
【００１１】
上述は、本考案の一実施例に過ぎず、本考案を制限するものではない。本考案の構想からの変更は、本考案の範囲に属するもので、例として形状、設置形態等に変更を加えた各種変化、修飾と応用、それに発する効果、作用はすべて本考案の範囲内とする。
【図面の簡単な説明】
【００１２】
【図１】公知のファン立体分解図である。
【図２】公知のファン立体組立図である。
【図３】公知のプロペラ上視図である。
【図４】本考案のファン立体分解図である。
【図５】本考案のファン立体組立図である。
【図６】本考案のプロペラ上視図である。
【図７】本考案のプロペラ側面図である。
【符号の説明】
【００１３】
１１        プロペラ
１１１        プロペラハブ
１１２        プロペラ羽根
１２        ファンフレーム
１２１        プロペラ台
１２２        凸条
１２３        入風口
１２４        出風口
１２５        穿孔
１２６        ネジ
１３        発熱部品
２１        プロペラ
２１１        プロペラハブ
２１１１        最上面
２１１２        環状部
２１２        第一プロペラ羽根
２１３        凸部
２２        ファンフレーム
２２１        プロペラ台
２２２        凸条
２２３        入風口
２２４        出風口
２２５        穿孔
２２６        固定元件
２３        発熱部品
【図１】
0003130620.tif 000003
【図２】
0003130620.tif 000004
【図３】
0003130620.tif 000005
【図４】
0003130620.tif 000006
【図５】
0003130620.tif 000007
【図６】
0003130620.tif 000008
【図７】
0003130620.tif 000009
【手続補正書】
【提出日】平成19年1月25日(2007.1.25)
【手続補正１】
【補正対象書類名】実用新案登録請求の範囲
【補正対象項目名】請求項１
【補正方法】変更
【補正の内容】
【請求項１】
プロペラとファンフレームから構成された放熱器のファンにおいて、
プロペラハブを具え、そのプロペラハブは最上面及びその最上面に垂直な環状部を具え、その環状部の外周は複数の第一プロペラ羽根及び複数の凸部が径方向の放射状に伸び、その凸部を二枚の第一プロペラ羽根の間毎に間隔を開けて設置するプロペラと、
その一側面中心箇所にプロペラ台を設置して前述のプロペラを枢設するファンフレームを含むことを特徴とする放熱器のファン。
【手続補正２】
【補正対象書類名】明細書
【補正対象項目名】０００２
【補正方法】変更
【補正の内容】
【０００２】
第１、２図は、公知のファンで、プロペラ１１及びファンフレーム１２を含み、上述のプロペラ１１は、プロペラハブ１１１を具え、そのプロペラハブ１１１の外周径からは、複数枚のプロペラ羽根１１２が外向きに伸びる（第3図参照）。上述のファンフレーム１２は、封鎖式の壁で覆われ、そのファンフレーム１２の一側面には入風口１２３が成形されて気体が流入し、入風口１２３に相対する別一側面には出風口１２４が成形されて気体が流出する。出風口１２４の一側面中心箇所には、プロペラ台１２１を設置し、上述プロペラ１１を枢設し、このプロペラ台１２１は、複数の凸条１２２でファンフレーム１２と相互に接続する。前述のファンフレーム１２の出風口１２４は発熱部品１３と向き合い、少なくとも一つのネジ１２６をファンフレーム１２辺縁に設置した少なくとも一つの穿孔１２５に差し込み、プロペラ１１とファンフレーム１２を発熱部品１３上に設置する。
【特許文献１】登録実用新案第３０８７６５２号公報